(57)【要約】      （修正有）【課題】スプレー式容器に意匠的な趣向を凝らし、視覚的な面白味が得られるとともに、聴覚的な面白味も得ることができるスプレー式容器を得る。【解決手段】スプレー式容器１のノズル部に、動物、怪獣、その他のキャラクター商品の人形の頭を象ったキャップ体１０を着脱自在に設ける。このキャップ体は、前記ノズル部から噴射される容器内部の液体又は気体の噴射口１１を有するとともに、ユーザの好みや必要に応じて交換可能に構成されている。また、キャップ体内部には、該キャップ体が押圧操作されることで、ノズル部、噴射口から容器内部の液体又は気体を噴射する際に、音を発生させる音発生手段が設けられている。この音発生手段からの音を、該キャップ体の外観である動物等の鳴き声や咆哮音に合わせて設定したりすることで、面白味をより一層倍加させることができる。【選択図】図１
0003108817.tif 000002
【実用新案登録請求の範囲】
【請求項１】
押圧操作されることにより液体又は気体を噴射するノズル部を備えたスプレー式容器であって、
前記ノズル部を覆うように設けられ、動物、怪獣、その他のキャラクター商品の人形等の頭を象ったキャップ体を備え、
このキャップ体は、前記ノズル部から噴射される容器内部の液体又は気体の噴射口を有するとともに、その外観形状に合わせた音を発生させる音発生手段を備えていることを特徴とする頭部付きスプレー式容器。
【請求項２】
押圧操作されることにより液体又は気体を噴射するノズル部を備えたスプレー式容器であって、
前記ノズル部を覆うように着脱自在に設けられ、動物、怪獣、その他のキャラクター商品の人形等の頭を象ったキャップ体を備え、
このキャップ体は、前記ノズル部から噴射される容器内部の液体又は気体の噴射口を有するとともに、必要に応じて交換可能に構成されていることを特徴とする頭部付きスプレー式容器。
【請求項３】
押圧操作されることにより液体又は気体を噴射するノズル部を備えたスプレー式容器であって、
前記ノズル部を覆うように着脱自在に設けられ、動物、怪獣、その他のキャラクター商品の人形等の頭を象ったキャップ体を備え、
このキャップ体は、前記ノズル部から噴射される容器内部の液体又は気体の噴射口を有し、その外観形状に合わせた音を発生させる音発生手段を備えるとともに、必要に応じて交換可能に構成されていることを特徴とする頭部付きスプレー式容器。
【考案の詳細な説明】
【技術分野】
【０００１】  本考案は、たとえば動物、怪獣、その他のキャラクター商品の人形の頭を象ったキャップ体をノズル部に設けてなる頭部付きスプレー式容器に関する。
【背景技術】
【０００２】  一般に、スプレー式容器は、円筒体の内部に適宜の液体、気体を封入するとともに、円筒体の上端部に設けたノズル部を押圧操作することにより、該ノズル部の噴射口から内部液体又は気体を噴霧するような構成となっている。【０００３】  この種のスプレー式容器は、たとえば化粧品、食品、さらには殺虫剤や消化器などを始めとして種々の分野に使用されるものであり、容器の外側には使用説明等とともに、適宜の装飾が施されることが多い。尤も、この種のスプレー式容器は機能第一であって、使用時に楽しさをもたらすものではなかった。【０００４】  近年、この種のスプレー式容器において、該容器のノズル部に、怪獣や動物その他の人形の頭部を設置することにより、容器の外観に意匠的な趣向を凝らし、使用時の楽しみを得られるようにしたものが提案されている（例えば、特許文献１参照）。【０００５】
【特許文献１】          特開平８−２８２７４９号公報
【考案の開示】
【考案が解決しようとする課題】
【０００６】  しかし、上述した従来のスプレー式容器では、頭部が設けられているだけであって、意匠的な面白味は多少得られるものの、それだけのものであり、ユーザの興味をそそる程の効果はなかった。【０００７】  本考案はこのような事情に鑑みてなされたものであり、スプレー式容器に意匠的な趣向を凝らし、視覚的な面白味が得られるとともに、聴覚的な面白味も得ることができるスプレー式容器を得ることを目的としている。
また、本考案によれば、上記の視覚的な面白味をより一層発揮させることができ、使用時の楽しみを倍加させることができるスプレー式容器を得ることを目的としている。
【課題を解決するための手段】
【０００８】  このような目的に応えるために本考案（請求項１記載の考案）に係る頭部付きスプレー式容器は、押圧操作されることにより液体又は気体を噴射するノズル部を備えたスプレー式容器であって、前記ノズル部を覆うように設けられ、動物、怪獣、その他のキャラクター商品の人形等の頭を象ったキャップ体を備え、このキャップ体は、前記ノズル部から噴射される容器内部の液体又は気体の噴射口を有するとともに、その外観形状に合わせた音を発生させる音発生手段を備えていることを特徴とする。【０００９】  本考案（請求項２記載の考案）に係る頭部付きスプレー式容器は、押圧操作されることにより液体又は気体を噴射するノズル部を備えたスプレー式容器であって、前記ノズル部を覆うように着脱自在に設けられ、動物、怪獣、その他のキャラクター商品の人形等の頭を象ったキャップ体を備え、このキャップ体は、前記ノズル部から噴射される容器内部の液体又は気体の噴射口を有するとともに、必要に応じて交換可能に構成されていることを特徴とする。【００１０】  本考案（請求項３記載の考案）に係る頭部付きスプレー式容器は、押圧操作されることにより液体又は気体を噴射するノズル部を備えたスプレー式容器であって、前記ノズル部を覆うように着脱自在に設けられ、動物、怪獣、その他のキャラクター商品の人形等の頭を象ったキャップ体を備え、このキャップ体は、前記ノズル部から噴射される容器内部の液体又は気体の噴射口を有し、その外観形状に合わせた音を発生させる音発生手段を備えるとともに、必要に応じて交換可能に構成されていることを特徴とする。
【考案の効果】
【００１１】  以上説明したように本考案に係る頭部付きスプレー式容器によれば、動物、怪獣、その他のキャラクター商品の人形の頭を象ったキャンプ体を設けるとともに、該キャップ体にその外観である動物等の鳴き声や咆哮音に合わせた音を発生する音発生手段を設けているから、簡単な構成であるにもかかわらず、スプレー式容器に意匠的な趣向を凝らし、視覚的な面白味が得られるとともに、聴覚的な面白味も得ることができるという実用上種々優れた効果がある。【００１２】  また、本考案によれば、動物、怪獣、その他のキャラクター商品の人形の頭を象ったキャップ体を交換自在に設けているから、上記の視覚的な面白味をより一層発揮させることができ、使用時の楽しみを倍加させることができるという優れた効果もある。
【考案を実施するための最良の形態】
【００１３】  図１ないし図３は本考案に係る頭部付きスプレー式容器の一実施の形態を示し、これらの図において、符号１はスプレー式容器であり、円筒状を呈する本体内部に適宜の液体又は気体が封入され、押圧操作されることによりノズル部３のノズル口４から該液体又は気体を噴射するように構成されている。【００１４】  図１中符号１０は動物のうちの象の頭を象ったキャップ体であって、図２（ａ），（ｂ）、図３（ａ），（ｂ）のような構造をもち、スプレー式容器１のノズル部３を覆うように着脱自在に取り付けられている。このとき、ノズル部３のノズル口４とキャップ体１０の噴射口１１とが一致するように取り付けるとよい。【００１５】  本考案によれば、上述したようなキャップ体１０の内部に、その外観形状、ここでは象の鳴き声に合わせた音を発生する音発生手段１２を設け、該ノズル部３が押圧操作されて容器１内の液体又は気体を噴射する際に音を発生できるように構成している。【００１６】  このような構成によれば、頭部となるキャップ体１０によって、スプレー式容器１に意匠的な趣向を凝らし、視覚的な面白味が得られるとともに、キャップ体１０内に設けた音発生手段１２により、聴覚的な面白味も得ることができるのである。特に、この発音手段１２による音を、該キャップ体１０の外観である動物（ここでは象）の鳴き声や咆哮音に合わせて設定したりすることで、面白味をより一層倍加させることができるのである。【００１７】  また、本考案によれば、たとえば動物、怪獣、その他のキャラクター商品の人形等の頭を象った複数種類のキャップ体１０，１０Ａを準備し、これをユーザの希望や好み、さらに必要に応じて交換可能に構成することにより、上記の視覚的な面白味をより一層発揮させることができ、使用時の楽しみを倍加させることができるのである。【００１８】  すなわち、図４ないし図６はこのようなキャップ体１０Ａとして、カラスの頭を象ったものを準備し、これをスプレー式容器１のノズル部３に取り付けた場合を示している。これらの図において、図１ないし図３と同一または相当する部分には同一番号を付して説明は省略する。
ここで、必要となることは、キャップ体１０，１０Ａがほぼ同等の構造をもち、取り付け手法も同一であることで、互換性のある構造とすればよい。【００１９】  なお、本考案は上述した実施の形態で説明した構造には限定されず、スプレー式容器１を始め、頭部を象ったキャップ体１０，１０Ａ等、各部の形状、構造等を適宜変形、変更し得ることはいうまでもない。たとえばキャップ体１０，１０Ａの構造や形状、さらにその材質等としては、種々の変形例が考えられる。要は、たとえば動物、怪獣、その他のキャラクター商品の人形等の頭を象ったキャップ体であればよい。【００２０】  また、このようなキャップ体１０，１０Ａの内部に設ける音発生手段１２としても、ノズル部３を押圧操作した際に適宜の音を発生できる手段であれば、どのようなものでもよい。発生する音としても、適宜のものでよく、自由に変更できるようにしてもよい。
さらに、このようなキャップ体１０，１０Ａのノズル部３への取り付け構造としても、着脱可能な取り付け手法であればどのようなものでもよい。
【図面の簡単な説明】
【００２１】
【図１】  本考案に係る頭部付きスプレー式容器の一実施の形態を示す全体の概略斜視図である。
【図２】  （ａ），（ｂ）は図１の頭部付きスプレー式容器において、頭部となるキャップ体の正面図および側面図である。
【図３】  （ａ），（ｂ）は図２（ａ），（ｂ）のキャップ体に対応するそれぞれの概略断面図である。
【図４】  本考案に係る頭部付きスプレー式容器の別の実施の形態を示す全体の概略斜視図である。
【図５】  （ａ），（ｂ）は図４の頭部付きスプレー式容器において、頭部となるキャップ体の正面図および側面図である。
【図６】  （ａ），（ｂ）は図５（ａ），（ｂ）のキャップ体に対応するそれぞれの概略断面図である。
【符号の説明】
【００２２】  １…スプレー式容器、３…ノズル部、４…ノズル口、１０，１０Ａ…キャップ体（頭部）、１１…噴射口、１２…音発生手段。
【図１】
0003108817.tif 000003
【図２】
0003108817.tif 000004
【図３】
0003108817.tif 000005
【図４】
0003108817.tif 000006
【図５】
0003108817.tif 000007
【図６】
0003108817.tif 000008